(57)【要約】【課題】本発明は、機能や安全面を最優先としつつ、着脱が容易で、低コストに製作でき、引きこもりがちになりやすい被介助者にも積極的に着用して外出したくなるような、お洒落な介助補助具を提供する事を目的とするものである。【解決手段】オムツ型の布体と、結合部材とから成り、布体は二層で形成され、結合部材は連続した一本の伸縮しない帯状の第一紐体であって該両端には嵌着部が装着され、布体と結合部材は、縫製により一体に形成される構成となっており、二本の結合部材を布体の股部でＸ字に交差するように布体の表布と裏布の二層間に通し、かかる交差した二本の結合部材の後方側及び前方側において夫々一旦布体から突出してから再度布体内に戻ることで持ち手部を形成し、二本の結合部材が全体で略八の字構造を構成することを特徴とするオムツ型介助ベルトとした。【選択図】図１
2010082483.tif 000002
【特許請求の範囲】
【請求項１】
介助ベルト１０であって、
被介助者の腰部ａ、臀部ｂ、股部ｃ、下腹部ｄ及び上腹部ｅを覆うオムツ型の布体２０と、
結合部材３０とから成り、
布体２０は、表布と裏布の二層で形成され、
結合部材３０は、連続した一本の伸縮しない帯状の第一紐体３１であって該両端には嵌着部３２が装着され、
布体２０と結合部材３０とは、縫製により一体に形成される構成となっており、
二本の結合部材３１を、布体２０の股部ｃでＸ字に交差するように布体２０における表布と裏布の二層間に通し、
かかる交差した二本の結合部材３１の後方側は、
交差した股部ｃから夫々臀部ｂ左右を通り腰部ａ上方左右において夫々一旦布体２０から突出してから再度布体２０内に戻ることで持ち手部３３を形成し、
該布体２０内に戻った結合部材３１は夫々腰部ａ上辺に沿って外側へと向かい、
最終的に腰部ａ左右において夫々結合部材３１端部が布体２０から突出するように通されており、
他方、交差した二本の結合部材３１の前方側は、
交差した股部ｃから夫々下腹部ｄ左右を通り上腹部ｅ上方左右において夫々一旦布体２０から突出してから再度布体２０内に戻ることで持ち手部３３を形成し、
該布体２０内に戻った結合部材３１は夫々上腹部ｅ上辺に沿って外側へと向かい、
最終的に上腹部ｅ左右において夫々端部が布体２０から突出するように通されており、
腰部ａ及び上腹部ｅの布体２０から突出した結合部材３１の端部にある嵌着部３２同士を左右夫々結合することで、
二本の結合部材３１が全体で略八の字構造を構成することを特徴とするオムツ型介助ベルト１０。
【請求項２】
前記オムツ型介助ベルト１０に、
伸縮しない一本の帯状の第二紐体３４を一以上有する構成から成り、
該第二紐体３４は、臀部ｂ、腰部ａ、上腹部ｅ又は下腹部ｄのいずれか又は組み合わせて布体２０の表布と裏布の二層間を左右横方向に通されるとともに、
臀部ｂ、腰部ａ、上腹部ｅ又は下腹部ｄのいずれか又は組み合わされる該第二紐体３４が一旦布体２０から表面側へ突出し再度布体内に戻ることで持ち手部３３を形成することを特徴とする請求項1に記載のオムツ型介助ベルト１０。
【請求項３】
前記持ち手部３３を外側に突出させるための開口部４２を有する巻きスカート４０が被装されていることを特徴とする請求項1又は請求項２に記載のオムツ型介助ベルト１０。
【請求項４】
前記巻きスカート４０が被装されているオムツ型介助ベルト１０であって、
該巻きスカート４０の開口部４１から前記持ち手部３３を外側に突出させ、
該巻きスカート４０の腰部と前記布体２０と前記結合部材３１とを、其々縫着により形成したことを特徴とする請求項３に記載のオムツ型介助ベルト。
【請求項５】
前記持ち手部３３を外側に突出させるための開口部４１を有する前面と後面とを二分割したパンツ４１が被装されていることを特徴とする請求項1又は請求項２に記載のオムツ型介助ベルト１０。
【請求項６】
前記前面と後面とを二分割したパンツ４１を縫着したオムツ型介助ベルト１０であって、
該前面と後面とを二分割したパンツ４１の開口部５１から前記持ち手部３３を外側に突出させ、
該前面と後面とを二分割したパンツ４１の腰部及び腹部と前記布体２０と前記結合部材３１とを、其々縫着により形成したことを特徴とする請求項５に記載のオムツ型介助ベルト１０。
【請求項７】
前記オムツ型介助ベルト１０において、布体２０又は巻きスカート４０又は前面と後面とを二分割したパンツ４１に、摩擦抵抗の少ないスライディングシート４６が具設され、該スライディングシート４６が、布体２０又は巻きスカート４０又は前面と後面とを二分割したパンツ４１に設けられるポケット部４５に収納できることを特徴とする請求項1から請求項６のいずれかに記載のオムツ型介助ベルト１０。
【発明の詳細な説明】
【技術分野】
【０００１】
本発明は、ベッドや車椅子から自力で移動できないなどの身体に障害を持っている被介助者を、介助者が容易かつ安全に移動させることができ、また、起立訓練などのリハビリ訓練としても役立つオムツ型の介助補助具に関する。
【背景技術】
【０００２】
近年の我が国では、福祉に対する意識が高まり、福祉制度や福祉施設の充実、あるいは福祉医療機器が発達するなど、高齢者や身体に障害を持つ人たちも生活し易くなってきている。最近では公共施設のみならず、デパートやホテルあるいはテーマパークなどでも駐車場の優先制度やバリアフリー化が進み、小型乗用車等にも車椅子の自動昇降機を備える技術も発達したことから、これまでは介助者の手を借りなければ外に出られなかった車椅子生活の被介助者も、家族と一緒に旅行へ行くなど外出を楽しめるようになってきた。
【０００３】
しかし、介助者にとって最も大変なのは、日々の生活の中で繰り返される着替えなどの僅かな移動の他に、入浴、食事、リハビリなどでベッドから車椅子へ移乗させることなどである。ほんの少し被介助者の身体の向きを変えてあげるだけでも介助者にとっては大変であり、これを一日に何度も繰り返すことは介助者に大きな肉体的負担を与えることになる。また、同時に被介助者にとっても、介助者に迷惑をかけてしまうことへの精神的な負担も大きい。
【０００４】
自力で移動できない身体障害者や寝たきり状態の方を、ベッドから車椅子へ移乗させる場合を例にすると、大柄な力のある男性介助者であれば、被介助者の上半身を起こし、被介助者の腕を介助者の肩に回して介助者の体につかまらせ、被介助者の体を抱きかかえて車椅子へ移乗させたりすることができる。しかし、小柄で力の弱い女性介助者ではそうはいかない。また、車椅子に乗せることができても、位置的に低すぎるために身体を引き上げたり、車椅子に乗った後に身体の向きを変えてあげることは意外と難しく、被介助者の衣服を掴んで腰を持ち上げたりしているのが現状である。また、起立訓練などのリハビリでは、被介助者を起立させるために、介助者は移乗時と同様の負担を強いられている。
【０００５】
このような従来方法では、介助者の腕や腰に負担がかかり、腰痛症などの職業病を併発することもある。日本災害医学会会誌によれば、介護職者の４７．４％以上が腰痛を有していると報告されている（非特許文献１）。また、被介助者は介助者の腕で抱きかかえられた時に胸を強く圧迫されて肋骨骨折などの危険性もある。更に被介助者の体重を支えきれず衣服が伸びてしまったり、破れる事も珍しくない。
【０００６】
そこで、これらの問題に鑑み、種々の技術が提案されている。例えば、ズボン後側の上部にハンドルをつけた介助ハンドル付きズボンがある（特許文献１参照）。しかし、係る発明は、布製のハンドルをズボン等に直接縫製するものであるためズボン等の生地が薄い場合には強度不足による破断等の危険性があり、また、係るハンドルを掴んで上体を起こそうとすると、ズボンが伸びてしまったり、破れるおそれもある。また、股部に応力が集中してしまうため、被介助者に痛みを伴わせてしまうおそれもある。
【０００７】
さらに、複数のベルトを被介助者に装着し、これらを連結して移動させる移動補助具もある（特許文献２及び３参照）。係る技術は上記問題の多くを解決しているが、構成部材が多いためコスト高となり、着脱も煩雑である。そしてなにより、膝の上下ベルトや腰にかけて連結されるベルトが外部から見えてしまうため、人目を気にする被介助者には嫌がられるおそれがある。
【０００８】
さらにまた、一般の介護用品の中には、ポリエチレン等の滑りやすい素材を用いたスライディングボードがあり、移動・移乗のための用具として販売されているが、車椅子移乗後にずらすように動かしたい場合などには用いることができず、また、持ち運びには不便である。
【０００９】
そこで、本発明者はこれらの問題点を解決すべく、オムツ型の介助ベルトを発明し、既に特許を取得している（特許文献４）。これは、介助ベルトであって、被介助者の腰部、臀部、股部及び腹部を覆うオムツ型の布と、連続した一本の伸縮しない板状の紐体であり、該紐体の両端に装着された嵌着部とからなる結合部材とで構成され、該布が厚手の伸縮性のない生地であって、表面と、裏面の、二層の布で構成されており、該布の股部分で二本の該結合部材がＸ字に前後に交差し、後ろへ交差した二本の該結合部材は左右臀部を通り、左右側腰部で突出し持ち手部を形成、一方、前へ交差した左右二本の該結合部材は股部前側から下腹部を通り、前腹部で嵌着部を介して、後ろへ交差した二本の該結合部材と結合し、これにより二本の該結合部材は全体で八の字構造を構成させたものである（以下、旧型という）。
【００１０】
係る特許発明によって、上述した機能的な面におけるほとんどの問題点を解決することができた。本発明者は係る特許発明を製品化して実際の介助環境下において使用を開始し、より良いものとすべく、その後もオムツ型介助ベルトの研究開発を進めている。
【００１１】
本発明者が医師等の協力の下で被介助者及び介助者にアンケート調査をしたところ、介助者の多くは安全性や機能性に対する意見や感想が中心であったが、被介助者からは意外な意見が多かった。それは、「物々しい介助補助具を身につけた状態で外出するのは嫌なので、もっとお洒落にできないのか」など、外観を良くしてほしいという意見であった。これは、被介助者は他人の視線を気にする方が多いことから、機能性などとは別の被介助者特有の心理的問題といえる。確かに、従来の介助補助具やその他の介護器具・機器等のほとんどは機能性を追求したものばかりであり、お洒落とはほど遠いものばかりである。
【先行技術文献】
【特許文献】
【００１２】
【特許文献１】特開２００１−２１４３１５号
【特許文献２】特開２００１−２９９８１４号
【特許文献３】特許第３６６８８０８号
【特許文献４】特許第４１０５７４８号
【非特許文献】
【００１３】
【非特許文献１】日本職業・災害医学会会誌Ｖｏｌ．５２．ＮＯ３；２００４
【発明の概要】
【発明が解決しようとする課題】
【００１４】
そこで、紐体や布体に作用する応力分布などを調べ、機能や安全面を損なうことなく、結合部材の配置構成を変更することで嵌着部の数を減らすことを課題とした。それが可能となれば、製作コストも抑えることができ、外観上もすっきりし、着脱の容易性も向上するからである。
【００１５】
また、本発明にかかるオムツ型介助ベルトの機能や利便性を損なうことなくスカートなどを被装するにはどのような構造とすればよいのかも課題とした。
【００１６】
以上より、本発明は、機能や安全面を最優先としつつ、介助者の移動・移乗を容易とし、着脱も容易で、低コストに製作でき、介助補助具の外観を気にして引きこもりがちになりやすい被介助者であっても、これを着用して積極的に外出したくなるようなお洒落な介助補助具を提供する事を目的とするものである。
【課題を解決するための手段】
【００１７】
前記目的を達成するため、請求項１の発明は、介助ベルトであって、被介助者の腰部、臀部、股部、下腹部及び上腹部を覆うオムツ型の布体と、結合部材とから成り、布体は、表布と裏布の二層で形成され、結合部材は、連続した一本の伸縮しない帯状の第一紐体であって該両端には嵌着部が装着され、布体と結合部材とは、縫製により一体に形成される構成となっており、二本の結合部材を、布体の股部分でＸ字に交差するように布体における表布と裏布の二層間に通し、かかる交差した二本の結合部材の後方側は、交差した股部分から夫々臀部左右を通り腰部上方左右において夫々一旦布体から突出してから再度布体内に戻ることで持ち手部を形成し、該布体内に戻った結合部材は夫々腰部上辺に沿って外側へと向かい、最終的に腰部左右において夫々結合部材端部が布体から突出するように通されており、他方、交差した二本の結合部材の前方側は、交差した股部分から夫々下腹部左右を通り上腹部上方左右において夫々一旦布体から突出してから再度布体内に戻ることで持ち手部を形成し、該布体内に戻った結合部材は夫々上腹部上辺に沿って外側へと向かい、最終的に上腹部左右において夫々端部が布体から突出するように通されており、腰部及び上腹部の布体から突出した結合部材の端部にある嵌着部同士を左右夫々結合することで、二本の結合部材が全体で略八の字構造を構成することを特徴とするオムツ型介助ベルトとした。
【００１８】
また、請求項２の発明は、前記オムツ型介助ベルトに、伸縮しない一本の帯状の第二紐体を一以上有する構成とし、該第二紐体は、臀部、腰部、上腹部又は下腹部のいずれか又は組み合わせて、布体の表布と裏布の二層間を左右横方向に通されるとともに、臀部、腰部、上腹部又は下腹部のいずれか又は組み合わされる該第二紐体が、一旦布体から表面側へ突出し再度布体内に戻ることで持ち手部を形成するオムツ型介助ベルトとした。
【００１９】
また、請求項３の発明は、前記持ち手部を外側に突出させるための開口部を有する巻きスカートが被装されていることを特徴とするオムツ型介助ベルトとした。
【００２０】
また、請求項４の発明は、前記巻きスカートが被装されているオムツ型介助ベルトであって、該巻きスカートの開口部から前記持ち手部を外側に突出させ、該巻きスカートの腰部と前記布体と前記紐体とを、其々縫着により形成したことを特徴とするオムツ型介助ベルトとした。
【００２１】
また、請求項５の発明は、前記持ち手部を外側に突出させるための開口部を有する前面と後面とを二分割したパンツが被装されていることを特徴とするオムツ型介助ベルトとした。
【００２２】
また、請求項６の発明は、前記前面と後面とを二分割したパンツを縫着したオムツ型介助ベルトであって、該前面と後面とを二分割したパンツの開口部から前記持ち手部を外側に突出させ、該前面と後面とを二分割したパンツの腰部及び腹部と前記布体と前記紐体とを、其々縫着により形成したことを特徴とするオムツ型介助ベルトとした。
【００２３】
また、請求項７の発明は、前記オムツ型介助ベルトにおいて、布体又は巻きスカート又は前面と後面とを二分割したパンツに、摩擦抵抗の少ないスライディングシートシート生地が具設され、該スライディングシートが、布体又は巻きスカート又は前面と後面とを二分割したパンツに設けられるポケット部に収納できることを特徴とするオムツ型介助ベルトとした。
【発明の効果】
【００２４】
請求項１から請求項７に記載のオムツ型介助ベルトによれば、旧型と比して、約２倍の引張荷重に耐えられるという、顕著に優れた効果を発揮する。具体的には、旧型では左右臀部の引張荷重の最大値が、約１．５ＫＮであったところ、本発明にかかるオムツ型介助ベルトでは、約３ＫＮと飛躍的に向上している（図１０から図２４参照）。これは、紐体にかかる応力が分散したことによるものである。
【００２５】
また、請求項１から請求項７に記載のオムツ型介助ベルトによれば、持ち手部がついているので、自力で移動できない身体障害者や寝たきり状態の被介助者をベッドから椅子等へ移乗させる場合でも、介助者は容易に被介助者を移動させてあげることが可能であり、双方の肉体的負担を軽減できるといった優れた効果を発揮する。また、車椅子への移乗後に僅かに身体の位置をずらしたり、少しだけ向きを変えたい時、あるいは寝返りを返させてあげたい時などでも、身体全体を抱きかかえなくても済むといった効果も発揮する。
【００２６】
また、請求項２から請求項７に記載のオムツ型介助ベルトによれば、複数の持ち手部がついているので、介助者の体型に応じて持ち易い位置の持ち手部を両手で掴むことができ、不必要な力が要らず安定した姿勢で、被介助者を持ち上げ移動する事が可能となり、介助者の腰痛などの職業病を防止できるという優れた効果を発揮する。
【００２７】
なお、前記の効果について栃木県内の病院でアンケート調査を実施したところ、良好な結果を得ることができた。患者数４３人・平均年齢８３歳・平均体重４５Ｋｇ・介助者１２２人という調査範囲内において、非常に楽・かなり楽・楽という評価が全体の８２．０％を占めたのである（図２５参照）。
【００２８】
また、請求項１から請求項７に記載のオムツ型介助ベルトによれば、持ち手部は一本の帯状の紐体からなるため十分な強度を有することが可能であり、破断等の危険性のない安全な介助補助具とすることができる。同時に、結合部材は伸縮しない連続した一本の帯状紐体を用いているので、布体自体の素材は、強度を向上させるために伸縮しない厚手の生地以外にも、伸縮性を有する着心地の良い柔らかい生地を採用することができ、また、通気性やファッション性などを考慮した生地素材の選択範囲を広げることができるという効果も発揮する。
【００２９】
また、請求項１から請求項７に記載のオムツ型介助ベルトによれば、被介助者の体重が帯状の紐体全体にかかるため局所的圧迫による危険性も少なく、また、着脱も容易で着用のまま車椅子に乗車可能である。この様に不快感や不安感が軽減され双方にとって安全・安楽になる。
【００３０】
また、請求項１から請求項７に記載のオムツ型介助ベルトによれば、従来の移動方法では介助者の負担を軽減するためには２〜３人の介助者が必要であったところを、一人の介助者でも移動可能になる。これにより被介助者のベッドからの離床の機会が増えて日常生活動作（ＡＤＬ：Ａｃｔｉｖｉｔｉｅｓ ｏｆ Ｄａｉｌｙ
Ｌｉｖｉｎｇ）の改善が図れ、寝たきり防止などに役立つ。
【００３１】
また、請求項１から請求項７に記載のオムツ型介助ベルトによれば、両足での起立保持が困難な被介助者の起立訓練に理学療法士が用いることが可能であり、リハビリ分野にも応用できる。
【００３２】
請求項１から請求項７に記載のオムツ型介助ベルトによれば、例えば、下半身不随で自力では車椅子への移乗が困難な方の場合、何度もお願いするのが申し訳なくて言いにくかった介助者も、ベッドから車椅子へ移乗する負担が減ることで移乗のお願いをしやすくなり、例えば障害者スポーツへの参加、買い物、旅行などへの意欲などが高まるなど福祉環境の向上にも貢献する。
【００３３】
請求項３から請求項７に記載のオムツ型介助ベルトによれば、普段着のスカートやパンツのように見せることができ、人の目を気にしがちな被介助者の精神的負担を軽減でき、従来外に出たがらなかった被介助者も積極的に外出できるようになり、認知症の予防や、精神面のケアにも資するといった効果も発揮する。
【００３４】
請求項７に記載のオムツ型介助ベルトによれば、ベッド上や車椅子移乗後に僅かにずらすように動かしたいときなどでも容易となり、不用な際には収納することもできる。
【００３５】
さらに、前記オムツ型介助ベルト１０において、布体２０又は巻きスカート４０又は前面と後面とを二分割したパンツ４１に、突出した前記持ち手部３３を収納可能なポケット部４４を有している構成を採用すれば、介助時以外の外観は何ら普通のスカートやパンツと変わらないように見せることも可能となる。
【図面の簡単な説明】
【００３６】
【図１】本発明にかかる第一実施例の構造を示す平面図。
【図２】本発明にかかる第二実施例の構造を示す平面図。
【図３】本発明にかかるオムツ型介助ベルトの構造を示す斜視図。
【図４】従来のオムツ型介助ベルトの構造を示す平面図。
【図５】本発明にかかる第三実施例の構造を示す平面図。
【図６】本発明にかかる第四実施例の構造を示す平面図。
【図７】本発明にかかるオムツ型介助ベルトの装着状態図。
【図８】本発明にかかるオムツ型介助ベルトの使用状態説明図。
【図９】本発明にかかる第五実施例の構造を示す斜視図。
【図１０】オムツ型介助ベルトの引張試験結果説明図。
【図１１】本発明にかかる嵌着部の引張試験結果説明図。
【図１２】本発明にかかるオムツ型介助ベルトの引張試験結果説明図。
【図１３】本発明にかかるオムツ型介助ベルトの引張試験結果説明図。
【図１４】本発明にかかるオムツ型介助ベルトの引張試験結果説明図。
【図１５】旧型オムツ型介助ベルトの引張試験結果説明図。
【図１６】旧型オムツ型介助ベルトの引張試験結果説明図。
【図１７】旧型オムツ型介助ベルトの引張試験結果説明図。
【図１８】スカート型及びパンツ型のオムツ型介助ベルトの引張試験結果説明図。
【図１９】パンツ型のオムツ型介助ベルトの引張試験結果説明図。
【図２０】パンツ型のオムツ型介助ベルトの引張試験結果説明図。
【図２１】パンツ型のオムツ型介助ベルトの引張試験結果説明図。
【図２２】スカート型のオムツ型介助ベルトの引張試験結果説明図。
【図２３】スカート型のオムツ型介助ベルトの引張試験結果説明図。
【図２４】スカート型のオムツ型介助ベルトの引張試験結果説明図。
【図２５】本発明にかかるオムツ型介助ベルトのアンケート調査結果図。
【発明を実施するための形態】
【００３７】
本発明に係るオムツ型介助ベルトは、本発明者が既に特許を取得しているオムツ型介助ベルト（特許文献４）に採用した、二本の結合部材３１が全体で略八の字構造とした点を基調としつつ、結合部材３０の配置構成を変更することで、旧型と比して最大引張荷重を大幅に向上させ、機能や安全面を損なうことなく嵌着部３２の数を減らすことを可能とした点を最大の特徴とする。以下、本発明の実施の形態を、添付の図面を参照して説明する。なお、結合部材３０の配置構成の変更は、単に嵌着部３２の数を減らすために形状的に採用した設計変更ではなく、医療現場で介助ベルトの各パターンのアンケート調査と使用実験を繰り返し、さらに結合部材３０等にかかる張力分布を推定するため、とちぎ産業技術センターにて引っ張り試験を実施した。国際医療福祉大学理学療法学科においては、この介助ベルトを装着し移乗させた時の腰部にかかるモーメント、圧縮力などを測定し腰部負荷を検討した。その結果等を踏まえた上で決定した配置構成を採用したものである。
【実施例１】
【００３８】
図１は本発明にかかるオムツ型介助ベルト１０の第一実施例の構造を示す平面図であり、図３は、本発明にかかるオムツ型介助ベルト１０の第一実施例の構造を示す斜視図である。布体２０は、腰部ａ、臀部ｂ、股部ｃ、下腹部ｄ及び上腹部ｅから構成されるオムツ型の形状であり、表布と裏布の二層で形成されている。素材については、強度を向上させるために伸縮しない厚手の生地としてもよく、また、伸縮性を有する着心地の良い柔らかい生地や、通気性・ファッション性を考慮した生地素材から選択してもよい。
【００３９】
結合部材３０は、連続した一本の伸縮しない帯状の紐体３１であって、該両端には嵌着部３２が装着される。紐体３１の素材には引っ張り強度の強い布ベルト等を使用し、幅及び厚さについては十分な安全率を乗じて算出する。嵌着部３２は、大きな力がかかっても容易に外れたり損壊せず、身体に触れても危険性のない材質である一方、着脱が容易な構造であることが望ましい。例えば、図に示すような雄雌式３２ｆ・３２ｇのアウトドア用品等で用いられているワンタッチ式のバックル３２や自動車のシートベルトに用いられているバックル３２などが考えられる。また、一般的なベルトバックル３２でもよい。なお、図示はしていないが、体型に応じて紐体の長さを調整できる機構が設けられる。
【００４０】
布体２０と結合部材３０とは、縫製により一体に形成される構成となっている。まず、二本の結合部材３１を布体２０の股部ｃでＸ字に交差するように布体２０における表布と裏布の二層間に通し、かかる交差した二本の結合部材３１の後方側は交差した股部ｃから夫々臀部ｂ左右を通り腰部ａ上方左右において夫々一旦布体２０から突出してから再度布体２０内に戻ることで持ち手部３３を形成し、該布体２０内に戻った結合部材３１は夫々腰部ａ上辺に沿って外側へと向かい、最終的に腰部ａ左右において夫々結合部材３１端部が布体２０から突出するように通し、他方、交差した二本の結合部材３１の前方側は、交差した股部ｃから夫々下腹部ｄ左右を通り上腹部ｅ上方左右において夫々一旦布体２０から突出してから再度布体２０内に戻ることで持ち手部３３を形成し、該布体２０内に戻った結合部材３１は夫々上腹部ｅ上辺に沿って外側へと向かい、最終的に上腹部ｅ左右において夫々端部が布体２０から突出するように通して縫製される。
【００４１】
オムツ型ベルト１０のサイズは、被介助者７０の体格や年齢、性別に応じて各種サイズを用意することが望ましい。但し、股部ｃでの布体２０の幅は股関節の動きを制限しない程度の大きさである事が望ましい。
【実施例２】
【００４２】
第二実施例では、前記第一実施例の構成の他に第二紐体３４を一以上有する構成を採用する。図２は係る第二実施例の構造を示す平面図である。具体的には、該第二紐体３４を臀部ｂ、腰部ａ、上腹部ｅ又は下腹部ｄのいずれか又は組み合わせて、布体２０の表布と裏布の二層間を左右横方向に通し、臀部ｂ、腰部ａ、上腹部ｅ又は下腹部ｄのいずれか又は組み合わされる該第二紐体３４が、一旦布体２０から表面側へ突出し再度布体内に戻ることで持ち手部３３を形成するように縫製する。なお、図２では、臀部ｂ及び下腹部ｄに設けた状態を示している。
【００４３】
図４は、本発明者が既に特許を取得している従来のオムツ型介助ベルト（参考文献４）の構造を示す平面図であり、構造対比の参考として示したものである。従来型では持ち手部３３が被介助者７０の腰部ａ、臀部ｂ、及び側腹部に形成されるが、本発明では、上腹部ｅにも持ち手部３３を形成できる点で相違し、更に嵌着部３２の数を減らすことを可能としている点で大きく異なっている。
【００４４】
図５は、本発明にかかる布体２０に、巻きスカート４０を被装した第三の実施例の構造を示す平面図であり、図６は、本発明にかかる布体２０に、前面と後面とを二分割したパンツ４１を被装した第四の実施例の構造を示す平面図であり、図７は、本発明にかかる布体２０に巻きスカート４０(図７（ａ）)又はパンツ４１（図７（ｂ））を被装した場合の装着状態図である。
【実施例３】
【００４５】
第三の実施例では、布体２０に、巻きスカート４０を被装する構成を採用する。該巻きスカート４０には開口部４２が設けられており、請求項３の発明では、該開口部４２から持ち手部３３を巻きスカート４０の内側から外側に突出させて、巻きスカート４０と布体２０とを結合する。請求項４の発明では結合後に巻きスカート４０の腰部と布体２０の腰部ａ上辺を縫製して一体形成とする。巻きスカート４０の素材は、強度を向上させるために伸縮しない厚手の生地に限定されることはなく、一般的なスカートに用いられる通常の素材でよい。また、巻きスカート４０の上辺に、面ファスナー４３等の接合部を設けて着脱を容易とすることが望ましい。
【実施例４】
【００４６】
第四の実施例では、布体２０に、パンツ４１を被装した構成を採用する。該パンツ４１には開口部４２が設けられており、請求項５の発明では、該開口部４２から持ち手部３３をパンツ４１の内側から外側に突出させて、パンツ４１と布体２０と結合する。請求項６の発明では結合後にパンツ４１の腰部上辺と布体２０の腰部ａ上辺及びパンツ４１の上腹部上辺と布体２０の上腹部ｅ上辺を縫製して一体形成とする。パンツ４１の素材は、強度を向上させるために伸縮しない厚手の生地に限定されることはなく、一般的なパンツに用いられる通常の素材でよい。また、形状については、前面と後面とを二分割した形状とし、パンツ４１の上辺、外側接合部及び内側結合部に面ファスナー４３等の接合部を設けて着脱を容易とする。
【００４７】
また、図５・６・７には図示はしないが、布体２０又は巻きスカート４０又は前面と後面とを二分割したパンツ４１の外側面に、突出した持ち手部３３を収納可能なポケット部４４を形設し、介助時以外は持ち手部３３が露出しないようにすることも有効である。係る構成を採用することにより外観がすっきりし、介助補助具を装着しているようには見えなくなる。
【実施例５】
【００４８】
第五実施例では、布体２０又は巻きスカート４０又は前面と後面とを二分割したパンツ４１に、摩擦抵抗の少ないスライディングシート４６を具設した構成を採用する。図９は、本発明にかかる第五実施例の構造を示す説明斜視図であり、図９（ａ）は、布体２０の腰部ａに摩擦抵抗の少ないスライディングシート４６を具設した構成を示し、図９（ｂ）、は該スライディングシート４６の使用状態を示している。該シート生地には、折り畳んで収納可能なポリエステル等の薄く柔らかい素材を用い、大きさや形状については図に示したものに限定されるものではなく、収納可能な必要程度の寸法・形状とすればよい。また、布体２０又は巻きスカート４０又は前面と後面とを二分割したパンツ４１にポケット部４５を設け、不用になった際には収納できる構造となっている。
【００４９】
図８は、介助補助具を用いない場合と本発明にかかるオムツ型介助ベルト１０を使用した場合の状態とを比較するための説明図である。以下、本発明の使用方法について説明する。
【００５０】
まず、装着方法について説明する。臥床している被介助者７０を側臥位にして、布体２０の腰部ａ及び臀部ｂを被介助者の腰部及び臀部を覆うように当て、被介助者７０の片足を持ち上げて下腹部ｄ及び上腹部ｅが被介助者７０の前にくるように配置し、その後、仰臥位にして下腹部ｄ及び上腹部ｅが被介助者７０の下腹部及び上腹部を覆うようにあてる。そして、全体がフィットするように位置関係を微調整し、正しい位置に介助ベルトがセットされていることを確認後、二つの嵌着部３２を結合する。締め具合については、前記長さ調整機構により調整する。取外しいついては前記手順を逆に行えばよい。ただし、前記着脱方法は一つの例示であって、被介助者７０の状態など種々の事情により適切に対応すればよい。
【００５１】
また、第五実施例のオムツ型介助ベルト１０を使用する場合では、被介助者７０に本発明に係るオムツ型介助ベルト１０を装着する前に、スライディングシート４６を取り出し、その後、臥床している被介助者７０を側臥位にして、前記同様にオムツ型介助ベルト１０の腰部ａ及び臀部ｂを被介助者の腰部及び臀部を覆うように当て、被介助者７０の片足を持ち上げて下腹部ｄ及び上腹部ｅが被介助者７０の前にくるように配置し、更に該スライディングシート４６を被介助者７０の腰下に配置されるように敷く。その後、仰臥位にして下腹部ｄ及び上腹部ｅが被介助者７０の下腹部及び上腹部を覆うようにあてる。そして、全体がフィットするように位置関係を微調整し、正しい位置に介助ベルトがセットされていることを確認後、二つの嵌着部３２を結合する。締め具合については、前記長さ調整機構により調整する。この状態において、被介助者７０の腰下には該スライディングシート４６が敷かれているので滑りやすく移動させ易い状態となっている。介助者６０は、装着されたオムツ型介助ベルト１０の持ち手部３３を掴み、所定の位置に移動させる。このままの状態にしたままにしておくと、滑りやすくなったままなので、被介助者７０の上体を起こし、スライディングシート４６を腰下から引き抜き折り畳んでポケット４５に収納する。
【００５２】
オムツ型介助ベルト１０を被介助者７０に装着後、例えば介助者６０が被介助者７０をベッドから車椅子へ移乗させる場合、従来であれば図８（ａ）の上側に示すように介助者６０は被介助者７０の衣服を掴んでいたため、衣服が伸びたり破れるという問題があったが、本発明に係るオムツ型介助ベルト１０では、図８の下側に示すように持ち手部３３を掴むことができるので安全である。また、第二紐体３４を設ける構成態様を採用した場合は、持ち手部３３が複数あるので、図８（ａ）下部に示すような小柄な介助者６０が、大柄な被介助者７０を介助する場合においても上部の持ち手部３３を掴めばよく、逆に大柄な介助者６０であれば、図８(ｂ)下部に示すように下部の持ち手３３も選択できるので、不安定な姿勢を避けたり、無駄な力を必要としないで済む。
【００５３】
従来であれば、図８（ｂ）の上側に示すように、介助者６０が被介助者７０を抱き抱える際、腕や胸を強く圧迫されることによる危険性があったが、前記説明の通り、本発明に係るオムツ型介助ベルト１０を用いれば、図８の下側に示すように持ち手部３３を確実に掴むことができるので安全で安定した移乗が出来る。
【００５４】
同様に、リハビリでの起立訓練時などでは、理学療法士などがその時の介助によって、持ちやすい位置の持ち手部をつかんで体を安定的に支える事が出来るので、効果的なリハビリが可能となる。
【００５５】
つぎに、本発明にかかるオムツ型介助ベルト１０が、旧型と比して最大引張荷重が大幅に向上していることについて説明する。図１０から図２４は、嵌着部３２、旧型又は本発明にかかるオムツ型介助ベルト１０の引張試験結果を示す実験結果説明図である。係る実験は、栃木県産業技術センターにおいて、万能材料試験機（東京衡機製造所ＲＵ５００Ｈ−ＴＫ２１）を用いて行った。
【００５６】
図１０及び図１８に示すように、旧型では最大引張荷重が臀部左右前方で約１．５ＫＮであるのに対し、本発明にかかるオムツ型介助ベルト１０、パンツ型及びスカート型では臀部左右前方で約３ＫＮと、およそ２倍の強度を有していることがわかる。これは、紐体にかかる応力が分散したことによるものと考えられる。なお、一部に低い数値を示している部分もあるが、これは備考欄に示してあるように、嵌着部３２が耐えきれず、抜け、変形又は破損によるものである。図１１から図１７及び図１９から図２４は、荷重（ＫＮ）に対する第一紐体３１の変位量（ｍｍ）を示したグラフであり、参考のために記載した。
【符号の説明】
【００５７】
ａ  腰部
ｂ  臀部
ｃ  股部
ｄ  下腹部
ｅ  上腹部
１０  オムツ型介助ベルト
２０  布体
３０  結合部材
３１  第一紐体
３２  嵌着部
３２ｆ  嵌着部
３２ｇ  嵌着部
３３  持ち手部
３４  第二紐体
４０  巻きスカート
４１  前面と後面とを二分割したパンツ
４２  開口部
４３  接合部
４４  ポケット
４５  ポケット
４６  スライディングシート
６０  介助者
７０  被介助者
【図１】
2010082483.tif 000003
【図２】
2010082483.tif 000004
【図３】
2010082483.tif 000005
【図４】
2010082483.tif 000006
【図５】
2010082483.tif 000007
【図６】
2010082483.tif 000008
【図７】
2010082483.tif 000009
【図８】
2010082483.tif 000010
【図９】
2010082483.tif 000011
【図１０】
2010082483.tif 000012
【図１１】
2010082483.tif 000013
【図１２】
2010082483.tif 000014
【図１３】
2010082483.tif 000015
【図１４】
2010082483.tif 000016
【図１５】
2010082483.tif 000017
【図１６】
2010082483.tif 000018
【図１７】
2010082483.tif 000019
【図１８】
2010082483.tif 000020
【図１９】
2010082483.tif 000021
【図２０】
2010082483.tif 000022
【図２１】
2010082483.tif 000023
【図２２】
2010082483.tif 000024
【図２３】
2010082483.tif 000025
【図２４】
2010082483.tif 000026
【図２５】
2010082483.tif 000027